(57)【特許請求の範囲】
【請求項１】
シャーシに弾性体を介して保持されるフローティングベースと、このフローティングベース上に設けられ、ディスクカートリッジに収納されたディスクが載設され、モータにより回転駆動されるターンテーブルと、上記フローティングベースに設けられた切り欠きと、この切り欠きに対応して上記フローティングベース内に設けられ、上記ターンテーブルで回転される上記ディスクから信号を読み取る光ピックアップと、このフローティングベースに対し変位可能に支持され、ディスクカートリッジを保持するホルダと、このホルダに摺動可能に支持されたスライダと、このスライダの上記フローティングベース側で上記フローティングベースに当接する位置に設けられ、上記フローティングベースに上記スライダを当接させることで、上記スライダが上記ターンテーブルもしくは光ピックアップと当接することを防止する凸部とを備えたディスク装置。
【請求項２】
シャーシに弾性体を介して保持されるフローティングベースと、このフローティングベース上に設けられ、ディスクカートリッジに収納されたディスクが載設され、モータにより回転駆動されるターンテーブルと、上記フローティングベースに設けられた切り欠きと、この切り欠きに対応して上記フローティングベース内に設けられ、上記ターンテーブルで回転される上記ディスクから信号を読み取る光ピックアップと、このフローティングベースに対し変位可能に支持され、ディスクカートリッジを保持するホルダと、このホルダに摺動可能に支持されたスライダと、このスライダに設けられ、上記ディスクカートリッジを支持するスライダフックと、このスライダフックの上記フローティングベース側で上記フローティングベースに当接する位置に設けられ、上記フローティングベースに上記スライダもしくは上記スライダフックを当接させることで、上記スライダもしくは上記スライダフックが上記ターンテーブルもしくは光ピックアップと当接することを防止する凸部とを備えたディスク装置。
【発明の詳細な説明】
【０００１】
【発明の属する技術分野】
この発明は、車載用ディスク装置等のディスク装置に関するものである。
【０００２】
【従来の技術】
近年、ディスク装置はミニディスクプレーヤーの発売に伴い、装置の小型化が進んでいるが、特に車載用ディスク装置については更なる小型化が要求されている。
従来、例えば特開平５−１７４４７８号公報に示されるように、ミニディスクプレーヤのカートリッジ搬送機構においては、ミニディスクの搬送時に、パワーモータが、回転駆動することによって、ラック板を設けたカートリッジホルダ搬送体が、ディスクのカートリッホルダを搬送して、さらに支持基体（フローティングベース）の固定軸（ロックピン）の軸係合溝（ピン係合溝）に対する係合を解除させて、フローティング状態して、ミニディスクの再生動作が行われていた。
【０００３】
【発明が解決しようとする課題】
上述したような従来のディスク装置は、ターンテーブルや光ピックアップ等とスライダとが当接して、装置の故障を起こすことがあるという課題があった。
【０００４】
この発明は、ターンテーブルや光ピックアップへのスライダの当接防止を行い、装置の故障の少ないディスク装置を得ることを目的とするものである。
【０００５】
【課題を解決するための手段】
この発明に係るディスク装置は、シャーシに弾性体を介して保持されるフローティングベースと、このフローティングベース上に設けられ、ディスクカートリッジに収納されたディスクが載設され、モータにより回転駆動されるターンテーブルと、フローティングベースに設けられた切り欠きと、この切り欠きに対応してフローティングベース内に設けられ、ターンテーブルで回転されるディスクから信号を読み取る光ピックアップと、このフローティングベースに対し上下方向に移動可能に支持され、ディスクカートリッジを保持するホルダと、このホルダに摺動可能に支持されたスライダと、このスライダのフローティングベース側でフローティングベースに当接する位置に設けられ、フローティングベースにスライダを当接させることでスライダがターンテーブルもしくは光ピックアップと当接することを防止する凸部とを備えたものである。
【０００６】
また、シャーシに弾性体を介して保持されるフローティングベースと、このフローティングベース上に設けられ、ディスクカートリッジに収納されたディスクが載設され、モータにより回転駆動されるターンテーブルと、フローティングベースに設けられた切り欠きと、この切り欠きに対応してフローティングベース内に設けられ、ターンテーブルで回転されるディスクから信号を読み取る光ピックアップと、このフローティングベースに対し上下方向に移動可能に支持され、ディスクカートリッジを保持するホルダと、このホルダに摺動可能に支持されたスライダと、このスライダに設けられ、ディスクカートリッジを支持するスライダフックと、このスライダフックのフローティングベース側でフローティングベースに当接する位置に設けられ、上記フローティングベースにスライダもしくはスライダフックを当接させることで、スライダもしくはスライダフックがターンテーブルもしくは光ピックアップと当接することを防止する凸部とを備えたものである。
【０００７】
【発明の実施の形態】
以下、この発明の実施の一形態を説明する。
発明の実施の形態１.
図１は実施の形態１におけるディスク装置を示す斜視図である。
このディスク装置は、それぞれの機構から大きく４つの部分に分けることができる。第１は、ディスクカートリッジ搬入・搬出機構、第２がフローティングベースを固定（ロック）およびその解除を行うフローティングベースロック機構、第３がピックアップ送り機構、第４にパワーモータ周辺機構である。
【０００８】
ここで、このディスク装置の基本的な動作を説明する。
まず、ディスクカートリッジ搬入・搬出機構がディスクカートリッジをフローティングベース上の再生位置まで搬入し、フローティングベースロック機構がフローティングベースのロックを解除し、フローティングベースは筐体に振動吸収機構によって保持されることとなり、外部からの振動が伝わりにくい状態とされ、ディスクの再生が開始される。このディスクの再生時に、ピックアップ送り機構により、ピックアップがディスクの半径方向に移動する。次に、ディスクの再生が終了した際には、フローティングベースロック機構はフローティングベースをロックし、そして、ディスクカートリッジ搬入・搬出機構がディスクカートリッジを搬出して、動作が終了する。パワーモータはディスクカートリッジ搬入・搬出機構及びフローティングベースロック機構の駆動源である。
このディスク装置の基本的な動作は以上のようなものであるが、以下、各機構ごとにその構成及び動作を詳しく説明する。
【０００９】
［ディスクカートリッジ搬入・搬出機構］
このディスクカートリッジ搬入・搬出機構は、ディスクカートリッジが挿入口１１０から挿入された際に、演奏スタートボタンを使用者が押したり、ディスクカートリッジを所定の位置まで挿入することにより、パワーモータ５６がイジェクタアーム９を駆動して、ディスクカートリッジを再生位置まで搬入するものであり、また、使用者が搬出（イジェクト）ボタンを押すことにより、ディスクカートリッジを再生位置から使用者が取り出せる位置まで搬出するものである。
【００１０】
図２はホルダアーム１、サイドアーム２、ホルダ７、及びフローティングベース２１からなるディスクカートリッジ搬入・搬出機構を示すものであり、図２（ａ）は上面図、図２（ｂ）は側面図である。図３はホルダアーム１に対するホルダ７の組み立て状態を示すものであり、図３（ａ）は上面図、図３（ｂ）は側面図である。図４、図５、図６はディスクカートリッジが搬入される状態を示す平面図であり、図４はディスクカートリッジが挿入された状態を示すものであり、図５はディスクカートリッジが再生位置まで搬入された状態を示すものであり、図６はイジェクタアーム９がはずされた状態を示すものである。図７はホルダアーム１とフローティングベース２１との組み立て状態を示す説明図である。図８はイジェクタアーム９及びスペーサーアーム２５と各スイッチとの関係を示す平面図である。
【００１１】
これらの図において、１はコの字状のホルダアーム、１ａはホルダアーム１の側面下部に設けられた丸穴１ｄの一部を切り欠いて設けられた切り欠き部、１ｂはピン２３（後述）が貫通する孔、１ｃはサイドアーム２（後述）に当接し、サイドアーム２を係止する係止部である。２はホルダアーム１の側面と平行に配置されるサイドアーム、２ａはサイドアーム２から切り起こされ、フローティングベース２１のロック時にスライドプレート３７（後述）と当接する斜面を持つ斜面部である。
【００１２】
３はサイドアーム２を貫通するようにホルダアーム１に固定され、サイドアーム２が回転可能に取り付けられるピン、４はサイドアーム２から切り起こされた切り起こし部、５はホルダアーム１から切り起こされた切り起こし部であり、それぞれバネ６（後述）の腕部６ａ、６ｂ（後述）に係合される。６はねん回バネが用いられているバネであり、６ａ、６ｂはバネ６の腕部である。ホルダアーム１とサイドアーム２とはピン３を中心として回転可能であるので、バネ６の腕部６ｂは切り起こし部５を図２（ｂ）中矢印Ａ１方向に付勢し、腕部６ａは切り起こし部４を図２（ｂ）中矢印Ａ２方向に付勢するものである。このとき、ホルダアーム１から係止部１ｃが切り起こされていて、この係止部１ｃによりサイドアーム２はホルダアーム１に係止されている。
【００１３】
７は箱状のホルダ、７ａは図３に示すようにホルダ７の側面に形成されている凸部であり、この凸部７ａの断面はカートリッジ挿入方向、すなわち、水平方向が最も長くなるように形成されている。ここでは、凸部７ａは板状であるので、その長手方向が水平方向になるようにされている。
また、ホルダ７の上面挿入側を段上部７ｂとする。
【００１４】
ここで、ホルダアーム１とホルダ７との組み立てについて説明する。
まず、ホルダ７をホルダアーム１に、切り欠き部１ａに凸部７ａがはまりこむように図３（ｂ）中Ｂ方向から挿入する。切り欠き部１ａに凸部７ａがはまりこんだ後に、ホルダ７を図３（ｂ）中矢印Ｃ方向に回転させて図２に示される状態とし、切り欠き部１ａと凸部７ａとを係合させる。このように、いったん組み立てられた後は、凸部７ａが丸孔１ｄ内を回転することにより、ホルダアーム１はホルダ７に対して回転可能であると共に、ホルダアーム１が後述するようにフローティングベース２１に組み付けられた後には、ホルダアーム１に対してホルダ７はその挿入方向まで回転することはないので、お互いに離反することはないものである。このとき、ホルダアーム１の切り欠き部１ａの幅はホルダ７の凸部７ａの長手方向の長さよりも小さく構成されている。
また、凸部７ａはホルダ７の側面に形成されているので、ホルダ７の上下方向の寸法がこの凸部７ａを設けることにより拡大することはないものである。
【００１５】
８はカートリッジのシャッターを開放するための爪であり、９はイジェクタ（駆動）アーム、１０はスライダ１４（後述）に設けられ、断面がコの字状の溝部である。１１は爪８が設けられたシャッターオープナーであり、このシャッターオープナー１１はホルダ７の上面に設けられたピン１２、ピン１３に係合し、ホルダ７上を摺動するものである。１４はスライダであり、このスライダ１４にはピン１５、１６及び１７が設けられ、ホルダ７の上面に設けられたガイド溝１８、１９と、スライダ１４がホルダ７に対してディスクカートリッジ挿入及び排出方向に摺動可能なように係合している。また、スライダ１４の溝部１０内を第１のアーム９の先端部のピン２０が摺動するようになっている。さらに、スライダ１４の側面には、カートリッジを保持するスライダフック６９が固定されている。  ２１は挿入されたカートリッジが再生時に装着されるフローティングベースであり、このフローティングベース２１の側面にはピン２３が設けられている。また、フローティングベース２１には弾性部材１０５、１０６、１０７に支えられる支軸７４、７５、７６が設けられている。
【００１６】
ここで、ホルダアーム１のフローティングベース２１への組み込みについて図７を用いて説明する。
ピン３はホルダアーム１と一体とされ、もう一方のピン２３はフローティングベース２１と一体とされている。したがって、、ホルダアーム１をフローティングベース２１に組み込む際には、ピン２３をホルダアーム１の対応する孔１ｂに差し込んだ後に、ピン３の内側のピンをフローティングベース２１の対応する孔２１ｂに差し込むことにより、フローティングベース２１のホルダアーム１への組み付けが完了する。また、ピン３、２３が支軸となって、ホルダアーム１に対してフローティングベース２１は回転可能である。
また、ピン３、２３はフローティングベース２１のカートリッジイジェクト時のシャーシ２４に対するロック用のピンと兼用されているものである。
【００１７】
２５はスペーサーアームであり、２６はイジェクタアーム９及びスペーサーアーム２５の回転中心となる軸である。２７はスペーサーアーム２５から切り起こされた切り起こし部であり、２８はイジェクタアーム９から切り起こされた切り起こし部である。２９はイジェクタアーム９の切り起こし部２８と、スペーサーアーム２５の切り起こし部２７にそれぞれ腕部２９ａおよび２９ｂが係合されているバネである。このバネ２９により、図面の矢印方向Ｄ１、Ｄ２にバネ２９の腕部２９ａ、２９ｂが切り起こし部２７、２８を付勢している。
また、イジェクタアーム９とスペーサーアーム２５とは、当接部９ａ、当接部２５ａで互いに当接し、係止されることにより、所定の角度以上に互いに回転することがないので、駆動溝７９（後述）の間隔は相互間に最低限確保されるものである。この点については、ディスクカートリッジ搬入・搬出動作を説明する際に詳説する。
【００１８】
また、図８に示すように、ディスクカートリッジが挿入可能な状態におけるイジェクタアーム９の位置では、イジェクタアーム９の端部３１は、パワーモータ起動スイッチ３２と当接している。また、第２のスペーサーアーム２５の端部３３は、パワーモータ停止スイッチ３４と当接している。このときに、パワーモータ起動スイッチ３２はイジェクタアーム９により押圧された状態から押圧がはずれた状態になるときにＯＮとなるものであるので、図８の状態から矢印Ｐ方向にイジェクタアーム９が回転した際にＯＮとなるものである。すなわち、パワーモータ起動スイッチ３２は、ディスクカートリッジの搬入時に、ディスクカートリッジが使用者によってある程度挿入され、イジェクタアーム９がある程度回転した際に、パワーモータ５６を起動させるものである。また、パワーモータ停止スイッチ３４は、押圧された際にパワーモータ５６を停止させるものである。すなわち、パワーモータ停止スイッチ３４は、ディスクカートリッジの搬出時にイジェクタアーム９が矢印Ｑ方向に回転して、図８に示すような状態になった際に、パワーモータ５６を停止させるものである。
【００１９】
・ディスクカートリッジの誤挿入防止構造
ここで、ディスクカートリッジの誤挿入防止について説明する。
図１６、図１７はディスクカートリッジが正規に挿入された状態を示す平面図であり、図１８、図１９はディスクカートリッジが誤った向きで挿入された状態を示す平面図である。
これらの図において、７０は図１６中の矢印Ｋ方向に回転することにより図示しないスイッチと当接するカートリッジ挿入検出部であり、このカートリッジ挿入検出部７０は各図中斜線で示している。７１はカートリッジ挿入検出部７０のディスクカートリッジと当接する当接部であり、７２はカートリッジ検出部７０の回転の中心となるピンである。
【００２０】
このカートリッジ検出部７０が正規挿入されると、図１６及び図１７のようにカートリッジ検出部７０の先端部７１がカートリッジと当接し、ピン７２を中心として矢印Ｋ方向に回動する。これによりカートリッジ検知スイッチが動作する。図１８及び１９のようにカートリッジを縦方向（すなわち、誤った向き）に誤挿入したときには、先端部７１がカートリッジと当接せず、検知スイッチが動作しない。また、検知スイッチが作動しなければ、パワーモータ５６が作動しないようになっているので、ディスクカートリッジが誤った向きに挿入された場合には、ディスクカートリッジ搬入動作は行われないものである。
【００２１】
また、７４はスライダ１４に設けられた誤挿入防止用爪であり、図１７に示すように、正規の向きでディスクカートリッジが挿入された場合には、ディスクカートリッジに設けられた溝７５に、はまりこむものであるが、誤った向きで挿入された場合には図１９に示されるように、はまりこむ溝がないためにディスクカートリッジはこの誤挿入防止爪７４より図中左側に寄ることができないものである。したがって、誤った向きに挿入された場合には、この誤挿入防止爪７４によってディスクカートリッジは図中左側に、すなわち、カートリッジ検出部７０側に寄ることができず、よって、カートリッジ検出部７０を回転させることもできないものである。
【００２２】
［フローティングベースロック機構］
図９はフローティングベースロック機構を示す平面図、図１０は図９中の矢印Ｒ方向からみた側面図、図１１は図９中の矢印Ｓ方向からみた側面図である。また、図２５はフローティングベースロック機構を示す平面図、図２６は図２５中の矢印Ｒ方向からみた側面図、図２７は図２５中の矢印Ｓ方向からみた側面図である。
これらの図において、３５は、シャーシ２４側面に設けられた穴３６を貫通する軸を支軸として回動するロックアームであり、３７はフローティングベース２１をロックするためのスライドプレートであり、このスライドプレート３７にはシャーシ２４側面に設けられた溝３８と溝３９と係合しつつ摺動する曲げ部４１と４２が設けられていて、シャーシ２４に対して前後に摺動可能である。また、スライドプレート３７の曲げ部４３とシャーシ２４の切り起こし部４４との間に係着されているバネ４５により、スライドプレート３７は、フローティングベース２１をロックする方向（図１０中の矢印Ｔ方向）に付勢されている。
【００２３】
また、フローティングベース２１の反対側に設けられたもう一方のスライドプレート５０も同様に、その曲げ部５２、２５１がシャーシ２４の溝５１、２５０と摺動可能に係合することにより、スライドプレート５０もシャーシ２４に対して前後に摺動可能である。また、スライドプレート５０に設けられた曲げ部４６とシャーシ２４の切り起こし部４７との間にバネ４８が係着されている。しかし、このバネ４８によりスライドプレート５０は、フローティングベース２１のロックを解除する方向（図１１中の矢印Ｉ方向）に付勢されている。すなわち、スライドプレート３７と、スライドプレート５０とはそれぞれフローティングベース２１をロックする方向とロックを解除する方向とに付勢されていることとなる。
このことにより、スライドプレート３７、５０を駆動する回転カム５５に必要とされる駆動力は、ロック時及びロック解除時において、同じ大きさとなり、回転カム５５に必要とされる駆動力は、ほぼ一定にすることができる。このため、回転カム５５の溝８６、９７内をピン８５、９６が滑らかに摺動することができると共に、パワーモータ５６に必要とされる最大駆動力も小さくすることができるものである。
【００２４】
［ピックアップ送り機構］
図１２はフローティングベース２１にピックアップ５９が取り付けられ状態を示すものであり、図１２（ａ）は下面図、図１２（ｂ）は側面図である。
これらの図において、フローティングベース２１のぼぼ中央にターンテーブル６０が設けられている。このターンテーブル６０はディスクカートリッジ内のディスクを支持して回転させるためのものであり、フローティングベース２１の下面に設けられたモータ６１により回転駆動される。また、フローティングベース２１の切り欠き部２１ａ内にはピックアップ５９が設けられており、このピックアップ５９はガイドシャフト６２、６３によって摺動可能に支持されており、モータ６５を駆動源として回転するシャフト６６の溝に螺合している案内部６４を有している。そして、シャフト６６が回転することにより案内部６４はシャフト６６上を移動し、ピックアップ５９はターンテーブル６０に装着されたディスクの径方向を前後に移動する。
【００２５】
［パワーモータ周辺機構］
図１３は回転カム５５を回転させるパワーモータ５６周辺部を示した平面図である。
この図において、シャーシ２４に固定されるモータベース５４に立設されたパワーモータ５６に圧入されたウォーム５７から減速ギア５８ａ、５８ｂ、５８ｃ、５８ｄと連なって、最終段で回転カム５５と歯合している。すなわち、パワーモータ５６からウォーム５７を介して、減速ギア５８を伝わって、回転カム５５へと、その駆動力が伝えられるものである。そして、駆動力の伝えられた回転カム５５は回転し、ピン７８をイジェクタアーム９とスペーサアーム２５により形成される駆動溝７９に沿って摺動させ、また、回転カム５５に形成された溝８６及び９７に沿って、ピン８５、９６を摺動させるものである。
【００２６】
次に、ディスク装置の各機構の動作について説明する。
［ディスクカートリッジ搬入動作］
・ディスクカートリッジ挿入時
まず、図４に示されるような、ディスクカートリッジがディスク装置に挿入されているがまだ搬入されていない状態において、イジェクタアーム９のピン２０はスライダ１４の両壁のある溝１０内の位置１０ａで溝１０の内壁に当接している。スライダ１４はねん回反転バネ６７によってホルダ７に対して矢印Ｕ方向に当接するように付勢されており、スライダ１４のガタつきは抑えられている。
【００２７】
また、図２に示すような状態にある時に、カートリッジ排出位置にあるホルダ７が段上部７ｂを押されて変形して、ホルダ７へのカートリッジの挿入が不可となるのを防止するために、段上部７ｂが押さえられた場合、ホルダ７と組み合わされたホルダアーム１に力が伝わりピン３、２３を回転軸としてホルダ７がカートリッジ装着方向に回転し、ホルダアーム１の切り起こし部４はバネ６を腕部６ａの付勢力に反して時計方向にたわませて、図３３に示すような状態となることにより、段上部７ｂを押さえた力を吸収する構造になっている。すなわち、サイドアーム２とホルダアーム１とは段上部７ａを押さえた力を吸収する構造となっているものである。
【００２８】
ここで、ターンテーブル６０及びピックアップ５９にスライダ１４が当接することを防止する構造について説明する。
図１４はスライダに凸部を設けた状態を示す側面図であり、図１５はスライダフックに凸部を設けた状態を示す側面図である。ここで、図１４に示されるようにスライダ１４に形成された凸部１４ａが、フローティングベース２１と当接するようになっており、ターンテーブル６０及びピックアップ５９にスライダ１４が当接して、ターンテーブル６０及びピックアップ５９に故障が発生することを防ぐものである。
また、図１５のように、スライダフック６９に凸部６９ｂが設けることとしてもよい。
【００２９】
・ディスクカートリッジ挿入時からスイッチ３２ＯＮ時まで
ディスクカートリッジをホルダ７に挿入すると、ディスクカートリッジのガイド孔とホルダ７に取り付けられたスライダフック６９の屈曲部６９ａが係合し、更に押し込むとスライダ１４がディスクカートリッジに押されて、ホルダ７のガイド溝１８、１９に沿って摺動する。このスライダ１４の動きに連動して、スライダ１４の溝１０に沿って、イジェクタアーム９の先端部分のピン２０が図４中矢印Ｅ方向に移動するように、イジェクタアーム９が軸２６を中心に回動する。イジェクタアーム９が回動することにより、イジェクタアーム９の端部３１はスイッチ３２と当接している状態から離反し、スイッチ３２をＯＮ状態とする。
【００３０】
・スイッチ３２ＯＮ時からシャッター開放まで
スイッチ３２がＯＮされると、パワーモータ５６が始動し、パワーモータ５６の回動力により回転カム５５が時計方向（図４中矢印Ｖ方向）に回動する。これによりピン７８がピン７７を中心に回動し、イジェクタアーム９が反時計方向に回転して、スライダ１４を摺動させ、ディスクカートリッジが移動する。このディスクカートリッジの移動にあわせて、シャッターオープナー１１も移動し、このシャッターオープナー１１の爪８の端部８ａがホルダ７の穴７３の面７３ａに当接して、シャッターオープナー１１の摺動は停止する。そして、シャッターオープナー１１の爪８がディスクカートリッジのガイド溝を摺動するようにディスクカートリッジは移動を行うことにより、ディスクカートリッジのシャッターは開放される。
【００３１】
このようにシャッターオープナー１１はホルダ７に対して、摺動するものであるので、このシャッターオープナー１１の移動量の分だけ、ディスクカートリッジのホルダ７に対する移動量を大きくすることができる。すなわち、ディスクカートリッジはシャッターオープナー１１の爪８に対して、シャッターのスライド幅だけでなく、シャッターオープナー１１の移動量分の移動することが可能である。このことにより、ディスクカートリッジの搬入開始位置はホルダ７に対して挿入口側に寄せることが可能となり、使用者がディスクカートリッジを挿入する量は小さくてすむこととなる。言い換えれば、ディスクカートリッジがイジェクトされた際にディスク挿入口から出ている幅を大きくすることができるものである。このことにより、使用者はディスクカートリッジを挿入しやすくなり、また、ディスクカートリッジがイジェクトされた際には取り出しやすくなるものである。
【００３２】
・シャッター開放からローディング完了まで
スライダ１４と一体となすピン１５が、ホルダ７のガイド溝１８の端部１８ａに当接して、スライダ１４の摺動が停止すると、スライドプレート３７とサイドアーム２の斜面部２ａとの当接が解除されて、ホルダ７はスライダ１４ごと下方向に下がる。そして、さらにピン７８が回転して、イジェクタアーム９とスペーサーアーム２５によって形成された溝３１に沿って移動することにより、イジェクタアーム９とスライダ１４が離反する。そして、スライドプレート３７及び５０が摺動して、フローティングベース２１のロックが解除されて、フローティングベース２１は弾性部材により保持された、耐振動状態となり、ローディングが完了する。このローディング完了時には、イジェクタアーム９はフローティングベース２１から十分離れた位置にあるので、車両の振動等によって、フローティングベース２１がシャーシ２４に対して変位したとしても、イジェクタアーム９がフローティングベース２１やスライダ１４と衝突したりすることはない。
【００３３】
また、スライドプレート３７のプレート凸部５０ａにより停止スイッチ１０２が押されて、停止スイッチ１０２はＯＮ状態となり、パワーモータ５６が停止して、ローディング動作が完了する。
このとき、図２０に示すようにホルダアーム１の切り起こし部８０とフローティングベース２１の切り起こし部８１に懸架されたバネ８２の付勢力により、ホルダ７がホルダアーム１ごとフローティングベース２１に押しつけられて、ホルダ７のガタつきを押さえている。
また、回転カム５５に設けられたピン７８が係合する駆動溝７９の係合部７９ａをピン７８の径よりも幅を狭くすることにより、バネ２９の付勢力でイジェクタアーム９とスペーサーアーム２５が回転カム５５に固定されているピン７８を挟持することにより、イジェクタアーム９及びスペーサアーム２５がピン７８を介して回転カム５５に固定されることにより、ガタつきが生じないようになっている。
【００３４】
［ディスクカートリッジ搬出動作］
ディスクカートリッジの搬出動作は、使用者がイジェクトボタンを押すことにより、パワーモータ５６が搬入動作時とは逆方向に回転し、上述したディスクカートリッジ搬入動作の逆の動作によって、搬出動作は達成される。
【００３５】
ここで、図２１、図２２、図２３に示すように、溝部１０を構成しているスライダフック６９に屈曲部６９ｂを設けることにより、イジェクタアーム９のピン２０がスライダ１４の溝部１０と係合せずに移動しようしたとしても（図２２に示す）、ピン２０に押されて溝部１０の開口部１０ｂに取付けられたスライダフック６９の屈曲部６９ｂが矢印Ｆ方向に回動することにより、ピン２０は溝部１０内に入り込み、図２３に示すようにピン２０とスライダ１４の溝１０が係合する。
【００３６】
さらに、図２４は、スライダフック６９に案内部６９ｃを設けて、ピン２０が案内部６９ｃにより案内されて屈曲部６９ｃに当接しやすくすることにより、ピン２０が溝１０に係合しやすくしたものである。
【００３７】
［フローティングベースのロック及び解除］
図９に示されるようなフローティングベース２１がロックされた状態から、回転カム５５が時計方向に回転すると、リンク８４のピン８５が回転カム５６の溝８６に沿って移動する。これによりリンク８４が軸８７を支軸として回動し、端部８８に係合したスライドプレート３７が図９、１０中の矢印Ｇ方向に移動する。この移動によりスライドプレート３７に設けられたカム溝８９に沿って凸部９０が移動し、ロックアーム３５が図１０中の矢印Ｈ方向に回動する。このスライドプレート３７およびロックアーム３５の動きによって、フローティングベース２１のピン３およびピン９４がそれぞれロック溝９１およびロック溝９２から離反し、ロックが解除される。
【００３８】
また、リンク８４と同期してリンク９５のピン９６が回転カム５５の溝９７に沿って移動することにより、スライドスレート５０が図９、図１１中の矢印Ｉ方向に移動し、ロックアーム４９が図１１中の矢印Ｊ方向に回動して、スライドプレート５０およびロックアーム４９の動きによって、ピン９８およびピン９９もそれぞれロック溝１００およびロック溝１０１から離反し、ロックが解除される。
【００３９】
このとき、上述したようにバネ４５、４８がスライドプレート３７、４９において、それぞれロック方向、ロック解除方向に付勢しているので、ロック解除の動作力を小さいものとすることができる。
【００４０】
フローティングベースのロックは上述したロック解除動作の逆である。
このとき、ロック解除時と同様に、バネの付勢方向の差によりロックの動作力を小さいものとすることができる。
【００４１】
発明の実施の形態２．
図２８、図２９はこの実施の形態２を示すもので、図２８は断面図であり、図２９は平面図である。
この実施の形態２は、実施の形態１とは、カートリッジ搬出動作のところで述べたイジェクタアーム９のピン２０がスライダ１４の溝部１０と係合せずに移動しようとした場合に、ピン２０がスライダの溝部１０に係合するようにした構成が異なるものである。ここで、実施の形態１と同様の構成をもつものは同一符号を付して説明を省略する。
【００４２】
これらの図において、２０１は、スライダフック６９の切り起こし部６９ｄとスライドプレート２０２（後述）の切り起こし部２０２ａとの間に係合されているバネである。２０２はスライダ１４の溝部１０内に摺動可能に設けられたスライドプレートであり、バネ２０１によりスライダフック６９側に付勢されている。イジェクタアーム９がディスクカートリッジの搬出動作中に、溝部１０に係合せずに移動しようとしても、ピン２０がスライドプレート２０２の案内部２０２ｂに当接することによりスライドプレート２０２が摺動して図２９に示すように開口部２００ができ、この開口部２００からピン２０が溝部１０に入り、ピン２０と溝部１０とが係合する。ピン２０が溝部１０と係合した後は、スライドプレート２０２はバネ２０１によって、元の位置に戻り、開口部２００はふさがれる。
【００４３】
発明の実施の形態３．
図３０、図３１、図３２はこの実施の形態３を示すもので、図３０は平面図、図３１は図３０中の矢印Ｙ方向からみた側面図、図３２は図３０中の矢印Ｚ方向からみた側面図である。この実施の形態３は、上述した実施の形態１とは、フローティングベースのロック機構が一部異なるものである。ここで、実施の形態１と同様の構成をもつものは同一符号を付して説明を省略する。
【００４４】
これらの図において、フローティングベース２１のロック機構の中で、駆動リンク９５には、ロックピン２３を係止するスライドプレート２０３が連結されている。このスライドプレート２０３が摺動した際には、リンクプレート２０４を介してもうひとつのロックピン９９を係止するスライドプレート２０５がスライドプレート２０３とは逆方向に摺動する。
【００４５】
このように、駆動リンク９５から最遠部にあるスライドプレート２０５を常に同一方向に付勢する引きバネ２０６によって、駆動リンク９５、スライドプレート２０３、リンクプレート２０４、スライドプレート２０５の全てのガタつき、ビビリを防止するようにしたものである。
【００４６】
各実施の形態においては、固定されたシャーシに、ロック用の部材を駆動する部分と、ディスクカートリッジの挿入及び排出用の部材を駆動する部分とをシャーシに設け、ディスクカートリッジ挿入排出駆動のための駆動アームをシャーシに回動自在に取り付け、駆動アームがディスクカートリッジ挿入排出時にはスライダと係合し、ディスクカートリッジ上下動時及び記録再生時には駆動アームがスライダと離反することにより、記録再生時には、フローティングベースが弾性体のみに支持されて、耐振動構造となることができ、また、このときに駆動アームがフローティングベースと当接して、振動が生じることがないものである。
【００４７】
また、駆動アームとスペーサアームとの間の駆動溝の終端付近の幅を回転カムのピンの太さより狭くし、アーム間に設けられたバネの付勢力によりピンを挟持することによって、アームのがたつき、びびりを防止することができるものである。
【００４８】
また、フローティングベースのロックを行う両側のスライドプレート駆動するそれぞれのアームの凸部が係合する溝が同じ回転式カムに設けられることにより、スライドプレートの同期ずれがなくなり、フローティングベースのロック及びロック解除動作が滑らかに行うことができるものである。
【００４９】
また、一方のスライドプレートを付勢するバネと、他方のスライドプレートを逆方向に付勢するバネとを設けることにより、スライドプレートがロック方向、ロック解除方向のどちらに摺動する時にも、摺動に要する駆動力の変化を小さくすることができるので、スライドプレートの摺動を滑らかにすることができると共に、必要とされる駆動力も小さくすることができるものである。
【００５０】
また、片側のスライドプレートを二つのプレートから構成し、この二つのプレートをリンクプレートにより逆方向に摺動するように連動させることにより、片側に二つ設けられているロックピンをそれぞれ逆方向から固定することにより、フローティングベースの固定を確実なものとすることができるものである。
【００５１】
また、スライダから内側に突出するように設けられたカートリッジ誤挿入防止爪と、この誤挿入防止爪の先端よりも後方でかつ外側の位置でホルダに設けられたスイッチレバーと、このスイッチレバーの回動によりディスクカートリッジの正常な挿入を検出するスイッチとを設けることにより、ディスクカートリッジの誤挿入を検出することができるので、誤挿入されたディスクカートリッジをパワーモータにより搬入することによって、装置が故障してしまうことがないものである。
【００５２】
また、ディスクカートリッジのシャッタを開ける突出部を有し、ディスクカートリッジ挿入排出方向にホルダに摺動自在に支持されたシャッタオープナーを設けたので、シャッターオープナーの摺動分だけ、ホルダに対するディスクカートリッジの摺動距離を大きくすることができ、ディスクカートリッジのイジェクト時にホルダから露出する部分を大きくすることができるので、使用者はディスクカートリッジを取り出しやすくなるものである。
【００５３】
また、ホルダアームがフローティングベースに回動可能であり、また、ホルダはホルダアームに回動可能であるので、簡単な構成によって、ホルダはフローティングベースに対して滑らかに上下動することができるものである。
【００５４】
また、ホルダアームに、少なくともカセットカートリッジ挿入方向ではない方向に切り欠き部のある丸穴と、ホルダから概水平に突出した凸部とを設け、凸部には、ホルダアームの切り欠き部より幅の広い部分と狭い部分とが設けられていて、幅の狭い部分を切り欠き部に差し込んで、その後回転させることにより、幅の広い部分を切り欠きに係合させて抜け止めとすることにより、ホルダアームとホルダとの組み立て工程を簡単なものとすることができるものである。
【００５５】
また、フローティングベースのロック時には、サイドアームはスライドプレートと当接して固定されているが、ホルダアームはサイドアームに回動可能にバネで係合されているので、ディスクカートリッジの挿入時に上下方向にずれた方向から挿入した場合には、ホルダが上下に傾いてホルダがゆがんでしまったりすることを防止することができるものである。
【００５６】
また、スライダもしくはスライダフックのフローティングベース側に凸部を設けたので、スライダが排出位置及び摺動状態において、ディスクカートリッジをフローティングベース側に斜め挿入されホルダが下方向に移動してもスライダの凸部がフローティングベースと当接することにより、ターンテーブル及び光ピックアップに当接するのを防止することができるものである。
【００５７】
また、スライダの駆動アームが係合する溝部の片壁に設けられた開口部と、その開口部に設けられた弾性部材とを設け、駆動アームが溝部と係合されずにディスクカートリッジ搬出方向に移動した場合に、駆動アームに押されて弾性部材が回動することにより開口部が開口し、駆動アームは溝部内に入り、その後再び、開口部は閉口されることにより駆動アームは溝部と係合することにより、駆動アームは確実に溝部内に収納されるので、搬入時に駆動アームが溝部と係合してないために、スライダが移動することができないことがないものである。
【００５８】
また、溝部の開口部に案内凸部を設け、駆動アームがこの案内凸部に係合することにより、より確実に係合させることができるものである。
【００５９】
また、溝部の開口部にスライドプレートを設け、このスライドプレートを付勢するバネを設け、搬出時に駆動アームが溝部と係合していなくても、スライドプレートが摺動することにより、駆動アームは溝部と係合することができるものである。
【００６０】
以上のように構成したことにより、ターンテーブルや光ピックアップへのスライダの当接防止が行え、装置の故障を少なくできるものである。
【図面の簡単な説明】
【図１】この発明の実施の形態１を示す斜視図である。
【図２】この発明の実施の形態１におけるカートリッジ搬入・搬出機構を示すものであり、図２（ａ）は上面図、図２（ｂ）は側面図である。
【図３】この発明の実施の形態１におけるホルダアームとフローティングベースとの組み立て状態を説明する説明図であり、図３（ａ）は上方から見たものであり、図３（ｂ）は左方からみたものである。
【図４】この発明の実施の形態１におけるディスクカートリッジが挿入された状態を示す平面図である。
【図５】この発明の実施の形態１におけるディスクカートリッジが再生位置まで搬入された状態を示す平面図である。
【図６】この発明の実施の形態１におけるイジェクタアームがはずされた状態を示す平面図である。
【図７】この発明の実施の形態１におけるホルダアームとフローティングベースとの組み立て状態を示す説明図である。
【図８】この発明の実施の形態１におけるイジェクタアームとスペーサアームと各スイッチとを示す平面図である。
【図９】この発明の実施の形態１におけるフローティングベースロック機構を示す平面図である。
【図１０】この発明の実施の形態１におけるフローティングベースロック機構を示す図９中の矢印Ｒ方向からみた側面図である。
【図１１】この発明の実施の形態１におけるフローティングベースロック機構を示す図９中の矢印Ｓ方向からみた側面図である。
【図１２】この発明の実施の形態１におけるフローティングベースにピックアップが取り付けられた状態を示すものであり、図１２（ａ）は下面図、図１２（ｂ）は側面図である。
【図１３】この発明の実施の形態１におけるパワーモータ周辺を示す平面図である。
【図１４】この発明の実施の形態１における凸部の形成されたスライダを示す背面図である。
【図１５】この発明の実施の形態１における凸部の形成されたスライダフックを示す背面図である。
【図１６】この発明の実施の形態１におけるディスクカートリッジが正規に挿入された状態を示す平面図である。
【図１７】この発明の実施の形態１におけるディスクカートリッジが正規に挿入され、搬入された状態を示す平面図である。
【図１８】この発明の実施の形態１におけるディスクカートリッジが誤った向きで挿入された状態を示す平面図である。
【図１９】この発明の実施の形態１におけるディスクカートリッジが誤った向きで挿入された状態を示す平面図である。
【図２０】この発明の実施の形態１におけるホルダアームとフローティングベースとを示す平面図である。
【図２１】この発明の実施の形態１におけるイジェクタアームとスライダの溝部とスライダフックの屈曲部とを示す平面図である。
【図２２】この発明の実施の形態１におけるイジェクタアームとスライダの溝部とスライダフックの屈曲部とを示す平面図である。
【図２３】この発明の実施の形態１におけるイジェクタアームとスライダの溝部とスライダフックの屈曲部とを示す平面図である。
【図２４】この発明の実施の形態１におけるイジェクタアームとスライダの溝部とスライダフックの屈曲部と案内部とを示す平面図である。
【図２５】この発明の実施の形態１におけるフローティングベースロック機構を示す平面図である。
【図２６】この発明の実施の形態１におけるフローティングベースロック機構を示す図２５中の矢印Ｒ方向からみた側面図である。
【図２７】この発明の実施の形態１におけるフローティングベースロック機構を示す図２５中の矢印Ｓ方向からみた側面図である。
【図２８】この発明の実施の形態２を示す断面図である。
【図２９】この発明の実施の形態２を示す平面図である。
【図３０】この発明の実施の形態３を示す平面図である。
【図３１】この発明の実施の形態３を示す図３０中の矢印Ｙ方向からみた側面図である。
【図３２】この発明の実施の形態３を示す図３０中の矢印Ｚ方向からみた側面図である。
【図３３】この発明の実施の形態１におけるホルダアームがたわんだ状態を示す側面図である。
【符号の説明】
１：ホルダアーム、２：サイドアーム、７：ホルダ、８：爪、９：イジェクタアーム、１０：溝部、１１：シャッタオープナ、１４：スライダ、２１：フローティングベース、２４：シャーシ、２５：スペーサアーム、３２：パワーモータ起動スイッチ、３４：パワーモータ停止スイッチ、３５：ロックアーム、３７：スライドプレート、４９：ロックアーム、５０：スライドプレート、５５：回転カム、５６：パワーモータ、５９：ピックアップ、６０：ターンテーブル、６２：ガイドシャフト、６３：ガイドシャフト、６４：案内部、６９：スライダフック、７０：カートリッジ挿入検出部、７９：駆動溝、８４：リンク、９５：リンク
【図１】
0003610658.tif 000002
【図２】
0003610658.tif 000003
【図３】
0003610658.tif 000004
【図４】
0003610658.tif 000005
【図５】
0003610658.tif 000006
【図６】
0003610658.tif 000007
【図７】
0003610658.tif 000008
【図８】
0003610658.tif 000009
【図９】
0003610658.tif 000010
【図１０】
0003610658.tif 000011
【図１１】
0003610658.tif 000012
【図１２】
0003610658.tif 000013
【図１３】
0003610658.tif 000014
【図１４】
0003610658.tif 000015
【図１５】
0003610658.tif 000016
【図１６】
0003610658.tif 000017
【図１７】
0003610658.tif 000018
【図１８】
0003610658.tif 000019
【図１９】
0003610658.tif 000020
【図２０】
0003610658.tif 000021
【図２１】
0003610658.tif 000022
【図２２】
0003610658.tif 000023
【図２３】
0003610658.tif 000024
【図２４】
0003610658.tif 000025
【図２５】
0003610658.tif 000026
【図２６】
0003610658.tif 000027
【図２７】
0003610658.tif 000028
【図２８】
0003610658.tif 000029
【図２９】
0003610658.tif 000030
【図３０】
0003610658.tif 000031
【図３１】
0003610658.tif 000032
【図３２】
0003610658.tif 000033
【図３３】
0003610658.tif 000034